(57)【特許請求の範囲】
【請求項１】
箱上面に、ミシン目を切り取ることで形成される取出口と、該取出口を覆うためのフィルムとを備え、箱内に折り畳まれて収納された複数枚の衛生薄葉紙を、前記フィルムに形成されたスリットから順次引き出すようにした衛生薄葉紙収納箱であって、前記収納箱の高さに比べて前記複数枚の衛生薄葉紙の束の嵩が高く、該束が、前記箱上面と箱底面とに挟圧されて押し込められた状態にある衛生薄葉紙収納箱において、
前記箱上面における取出口の周囲部分を可撓性の扉状に分割すべく、ミシン目を切り取り形成された取出口の互いに対角する２つの隅を起点として、それぞれ近隣の箱上面の角部へ向かう方向に、一対のスリット状の切断線が設けられており、
前記フィルムを、前記切断線の設定域までに亘り延在させつつ前記箱上面に貼着し、該フィルムに対しては切断線を設定せず、前記箱上面における貼着域は、前記切断線に沿わせて該切断線との隙間を４０ｍｍ以下として切断線の周囲に亘って設定されることを特徴とする衛生薄葉紙収納箱。
【請求項２】
前記切断線により可撓性が付与される可撓性領域に前記取出口の領域を合わせた可撓性領域全体の面積が、箱上面の面積に対して２５％以上であることを特徴とする請求項１に記載の衛生薄葉紙収納箱。
【請求項３】
前記切断線は、前記取出口の平面中心に関する点対称となるように対で設定されていることを特徴とする請求項１または２のいずれかに記載の衛生薄葉紙収納箱。
【請求項４】
前記切断線が、前記取出口の中央線に関する線対称となるように対で設定されることを特徴とする請求項１〜３のいずれかに記載の衛生薄葉紙収納箱。
【請求項５】
前記切断線は直線であることを特徴とする請求項１〜４のいずれかに記載の衛生薄葉紙収納箱。
【請求項６】
前記切断線の起点からの該切断線上の点までの直線距離の最大値として表現される切断線有効長さが、１０ｍｍ以上であることを特徴とする請求項１〜５のいずれかに記載の衛生薄葉紙収納箱。
【請求項７】
前記取出口は、箱の長手方向に細長く形成される一方、前記フィルムのスリットは、前記取出口の略中央線上に位置して前記長手方向にほぼ直線状に形成され、
前記フィルムの前記長手方向伸びが５０％以上であることを特徴とする請求項１〜６のいずれかに記載の衛生薄葉紙収納箱。
【発明の詳細な説明】
【０００１】
【発明の属する技術分野】
本発明は、使い始めにおいても薄葉紙の取り出しが良好な衛生薄葉紙収納箱に関する。
【０００２】
【従来の技術】
従来から、ティッシュペーパー等の衛生薄葉紙を束状にして収納する収納箱には、箱上面の取出口から薄葉紙を一組ずつ引き出し可能なものが使用されている。
この収納箱の斜視図を図１３に示すが、その外観は直方体形状である一方、その上面１ａには前記取出口３を形成するためのミシン目が形成されている。そして、このミシン目に沿って切取片（図示無し）を切り取って、前記取出口３を開けるようになっている。
【０００３】
この取出口３は、収納箱１の内側からフィルム１１によって覆われており、もって箱１内への埃や塵の侵入を防いで中身のティッシュペーパー２１を衛生的に保つようにしている。また、このフィルム１１には、取出口３の中央線に位置させて直線状スリット１３が形成されており、このスリット１３を通して前記箱内のティッシュペーパー２１を一組ずつ外へ取り出し可能となっている。一方、フィルムのスリット１３はウエッブが落ち込むのを防ぐ役目もある。
【０００４】
このティッシュペーパー２１は、通常、矩形シートを二枚重ねた状態（２プライとも言う）を一組とし、この一組単位で取り出されて適宜使用される。一方、前記収納箱１内においては、図１４の収納箱１の縦断面図に示すように、この一組のティッシュペーパー２１は二つ折りに畳まれた状態にて多数組が上下方向に束状に重ねられて収納されている。そして、このティッシュペーパー束２３の最上面のティッシュペーパー２１の上半分の一部２１ａは、前記スリット１３を通って外に出つつ保持されていて、これを更に上方へ引き出すことにより当該最上面のティッシュペーパー２１は外に引き出される。一方、この時、前記ティッシュペーパー２１の前記一部２１ａ以外の部分２１ｂは、次のティッシュペーパー２１の上半分と当接していて、この上半分を収納箱１からスリット１３に保持される位置まで引き出すようになっている。
【０００５】
このように次のティッシュペーパー２１をスリット１３保持位置まで随伴して引き出し可能な重ね方としては、例えば、前記図１４に示す方法が挙げられる。すなわち、上の組のティッシュペーパー２１の下半分と、下の組のティッシュペーパー２１の上半分との両方を挟み込ながら、これらの間に位置する組のティッシュペーパー２１を前記二つ折りに折り畳み、これを高さ方向に繰り返してティッシュペーパー２１を束状に積み重ねれば良い。
【０００６】
【発明が解決しようとする課題】
ところで、最近、特にティッシュペーパー２１にあっては、その持ち運び性を良好にすべく、収納組数は減らさずに収納箱１の高さを低くするというコンパクト化が図られている。
しかしながら、収納箱１高さに比べてティッシュペーパー束２３の嵩が高過ぎる場合には、ティッシュペーパー束２３は、箱上面１ａと底面１ｂとに狭圧されて箱内に押し込められた状態となる。このため、まさに引き出される状態の最上面のティッシュペーパー２１は、箱上面１ａの裏側１ｃに強く押し付けられており、この状態で前記ティッシュペーパー２１をスリット１３から無理に引き出すと、特に使い始めにおいてはティッシュペーパー２１を引き破ってしまう虞がある。
【０００７】
本発明はかかる従来の課題に鑑みて成されたもので、箱高さに比べて、前記箱内に収納される衛生薄葉紙束の嵩が高過ぎる場合であっても、前記薄葉紙を破ることなく円滑な取り出しが可能な衛生薄葉紙収納箱を提供することを目的とする。
【０００８】
【課題を解決するための手段】
かかる目的を達成するために請求項１に示す発明は、箱上面に、ミシン目を切り取ることで形成される取出口と、該取出口を覆うためのフィルムとを備え、箱内に折り畳まれて収納された複数枚の衛生薄葉紙を、前記フィルムに形成されたスリットから順次引き出すようにした衛生薄葉紙収納箱であって、前記収納箱の高さに比べて前記複数枚の衛生薄葉紙の束の嵩が高く、該束が、前記箱上面と箱底面とに挟圧されて押し込められた状態にある衛生薄葉紙収納箱において、
前記箱上面における取出口の周囲部分を可撓性の扉状に分割すべく、ミシン目を切り取り形成された取出口の互いに対角する２つの隅を起点として、それぞれ近隣の箱上面の角部へ向かう方向に、一対のスリット状の切断線が設けられており、
前記フィルムを、前記切断線の設定域までに亘り延在させつつ前記箱上面に貼着し、該フィルムに対しては切断線を設定せず、前記箱上面における貼着域は、前記切断線に沿わせて該切断線との隙間を４０ｍｍ以下として切断線の周囲に亘って設定されることを特徴とする。
【０００９】
請求項２に示す発明は、請求項１に記載の衛生薄葉紙収納箱において、前記切断線により可撓性が付与される可撓性領域に前記取出口の領域を合わせた可撓性領域全体の面積が、箱上面の面積に対して２５％以上であることを特徴とする。
【００１０】
請求項３に示す発明は、請求項１または２のいずれかに記載の衛生薄葉紙収納箱において、前記切断線は、前記取出口の平面中心に関する点対称となるように対で設定されていることを特徴とする。
【００１１】
請求項４に示す発明は、請求項１〜３のいずれかに記載の衛生薄葉紙収納箱において、前記切断線が、前記取出口の中央線に関する線対称となるように対で設定されることを特徴とする。
【００１２】
請求項５に示す発明は、請求項１〜４のいずれかに記載の衛生薄葉紙収納箱において、前記切断線は直線であることを特徴とする。
【００１３】
請求項６に示す発明は、請求項１〜５のいずれかに記載の衛生薄葉紙収納箱において、前記切断線の起点からの該切断線上の点までの直線距離の最大値として表現される切断線有効長さが、１０ｍｍ以上であることを特徴とする。
【００１６】
請求項７に示す発明は、請求項１〜６のいずれかに記載の衛生薄葉紙収納箱において、前記取出口は、箱の長手方向に細長く形成される一方、前記フィルムのスリットは、前記取出口の略中央線上に位置して前記長手方向にほぼ直線状に形成され、前記フィルムの前記長手方向伸びが５０％以上であることを特徴とする。
【００１７】
【発明の実施の形態】
以下、本発明に係る一実施形態を添付図面を参照して詳細に説明する。
図１は本実施形態に係る衛生薄葉紙収納箱を示す斜視図、図２はその縦断面図、図３はその箱上面の裏面図である。また図４〜図６は本実施形態の変形例に係る箱上面の裏面図である。尚、図３〜図６に亘る各裏面図にあっては、図（ａ）に後記フィルムの貼着域を主に示す一方、図（ｂ）には後記可撓性領域を主に示す。また、本実施形態にあっては、薄葉紙がティッシュペーパーの場合を例示するが、折り畳まれた薄葉紙を順次引き出せるものであればこれに限るものではなく、キッチンペーパー等にも適用可能なのは言うまでもない。
【００１８】
本実施形態に係る衛生薄葉紙収納箱１は、図１に示すように直方体形状の紙製の箱である。コンパクトタイプの場合の代表寸法は、長手方向に２４０〜２４７ｍｍ、短手方向に１１５〜１１７ｍｍ、そして高さ方向に５０〜６５ｍｍである。この箱内に収納される前述したティッシュペーパー束２３は、通常、２２９×１９７ｍｍの２プライの矩形状ティッシュペーパーを二つ折りし、これを前述した重ね方にて高さ方向に２００組重ねて形成される。但し、上記寸法および収納組数は適宜変更しても良い。
【００１９】
また、前記収納箱１の上面１ａには、取出口３用にミシン目が設定されている一方、この取出口３はフィルム１１により覆われている。そして、前記切取線に沿って取出口３を切断開封すれば、フィルム１１のスリット１３を通して、ティッシュペーパー２１を一組ずつ順次外に引き出すことができるようになっている。
【００２０】
図３（ａ）の箱上面の裏面図に示すように、前記取出口３は、箱上面１ａ中央に位置して前記長手方向に細長い長方形状に形成され、その四隅は四分円形に面取りされている。また、前記フィルム１１は、取出口３の寸法より大きな長方形状であり、その中央には前記スリット１３が直線状に形成されている。そして、このフィルム１１は、前記取出口３の中心線上にスリット１３を位置させつつ、箱上面１ａの裏側１ｃに接着剤により貼着される。尚、この貼着域１１ａは、基本的には前記取出口３に沿って環状に設定されている。また、スリット１３の長さは、スリット端１３ａ，１３ｂでの裂けを抑止しつつティッシュペーパー２１の保持性を良好にすべく、ティッシュペーパー２１の長手方向長さの５５〜９０％にするのが好ましい。
【００２１】
ここで、本発明にあっては、図１および図３に示すように、箱上面１ａにおける取出口３の周囲部分には、ミシン目を切り取って形成された取出口３の開口線の縁部を起点５ａとする、スリット状の切断線５が設定されている。具体的に図示例にあっては、取出口３の互いに対角する２つの隅を起点とする一対の切断線５が、それぞれに近隣の箱上面１ａの角部へ向かう方向に直線状に設定されている（請求項１の構成）。
【００２２】
このため、ティッシュペーパー２１の使用前に、前記スリット状の切断線５に沿って前記周囲部分は扉状に分割されており、当該周囲部分には上下方向の可撓性が付与されている。よって、図２に示すように、スリット１３に起立状態に保持されたティッシュペーパーの部分２１ａを上方へ引っ張ってティッシュペーパー２１を引き出す際には、上方向の引っ張り力がスリット１３を介して周囲部分に伝達されるが、この引っ張り力によって、前記周囲部分は上方へ容易に撓むことができる。よって、引き出す瞬間に、最上面のティッシュペーパー２１に作用する箱上面裏側１ｃへの押し付け力を緩和軽減できて、もって使い始めにおいてもティッシュペーパーを引き破ることなく前記スリット１３から円滑に取り出すことができる。
なお、前記切断線５は、スリット状に予め完全に分断されているので、使用者には切断作業をさせずに済み、使用者への利便性の向上が図られている。
【００２３】
また、図３（ｂ）に示すように、切断線５により可撓性が付与される可撓性領域１ｄ（図中の斜線部）に前記取出口３の領域３ｄ（図中の二重線斜線部）を合わせた可撓性領域全体の面積が、箱上面１ａの面積に対して２５％以上、更に好ましくは３５％以上を占めるのが望ましい（請求項２の構成）。
【００２４】
そして、箱上面１ａの面積に対する可撓性領域全体の面積比率を２５％以上にすれば、前記取出口３の周囲部分は、前記押し付け力を有効に軽減可能な程度にまで上方へ撓むことができる。
尚、切断線５により作られる可撓性領域１ｄが確実に屈曲するように、この可撓性領域１ｄの撓み開始線１ｅに沿わせて罫線を引いても良い。
【００２５】
また、図３に例示したように、切断線５は、取出口３の平面中心３ａに関する点対称となるように対で設定されているのが望ましい（請求項３の構成）。
そして、このようにすれば、前記周囲部分の押し付け力分布を、取出口３に対して点対称にすることができる。よって、前記押し付け力分布の非対称性からティッシュペーパー２１が傾いて引き出されてスリット端１３ａ，１３ｂで引っかかってしまうことは無く、円滑に引き出すことが可能となる。また、前記引き出しに随伴してスリット１３に保持される、次ぎのティッシュペーパー２１の上端縁が水平から傾いてしまうことを防止できて、保持状態のティッシュペーパー２１ａの見た目を良好にすることができる。
【００２６】
尚、図４に示すように、前記切断線５を四隅について設ければ、すなわち前記図３に示す一対の切断線５を、更に取出口３の中央線に関する線対称となるように対で設定すれば（請求項４の構成）、取出口３の周囲部分の押し付け力分布を、更に周方向に亘って均一にすることが可能となり、ティッシュペーパー２１の引き出しを更に円滑にすることができる。
【００２７】
前記切断線５は、図５に示すような波曲線にしても良いが、望ましくは図３のように直線にすると良い（請求項５の構成）。
【００２８】
また、前記切断線５の有効長さ、すなわち切断線５の起点５ａからの切断線５上の点までの直線距離の最大値は、１０ｍｍ以上であるのが望ましく（請求項６の構成）、更に好ましくは２０ｍｍ以上である。ここで、切断線５が図６のような場合には、前記有効長さは、切断線５の起点５ａと終点５ｂを結ぶ直線距離ではなく、前記最大値たる図中のＬとなる。
そして、有効長さを１０ｍｍ以上にすれば、取出口３の周囲部分は、前記押し付け力を有効に軽減可能な程度にまで上方へ撓むことができ、更に２０ｍｍ以上にすればその確実性が増す。
【００２９】
また、前記フィルム１１は、前記取出口３を覆うだけでなく、図３に示すように、前記切断線５の設定域まで張り出して延在しつつ前記箱上面１ａに貼着される一方、このフィルム１１には切断線が設定されない（請求項１の構成）。
【００３０】
尚、前記フィルム１１の貼着域１１ａは、図３（ａ）に一部拡大して示すように、取出口３周囲の前記環状の貼着域１１ａに加えて、更に切断線５に沿わせて切断線５との隙間Ｘ１を４０ｍｍ以下として、その周囲に亘って設定される（請求項１の構成）。
【００３１】
また、前記フィルム１１の前記長手方向伸びは、５０％以上であるのが望ましい（請求項７の構成）。
【００３２】
このような伸び性能を備えたフィルム１１の素材としては、ポリエチレン、ポリプロピレン、およびポリエステル等が好ましい。
尚、多少伸び性能は劣るが、合成繊維または化学繊維を混抄した合成紙、あるいは不織布からなる坪量が１０〜３５ｇ／ｍ２のシートを用いることもできる。前記合成紙に混抄する合成繊維および化学繊維としては、レーヨン、アセテート、およびビニルアセテート等が好適であり、更にはリサイクル性に欠けるが、ポリエチレン、ポリプロピレン、およびポリエステル等も使用可能である。
他方、前記不織布としては、形態面からはエアスルー不織布、ポイントボイド不織布、メルトブロー不織布、およびスパンボンド不織布等を用いることができる。不織布の材質面からは、ポリエチレン、ポリプロピレン、ポリエステル、およびパルプ等が適用可能である。
前記合成紙および不織布において上記範囲の坪量が好ましい理由は、１０ｇ／ｍ２未満では強度的に不足し、ティッシュペーパー２１の取り出し時においてフィルム１１の裂けの確率が高くなる一方、３５ｇ／ｍ２を超えると、コスト高となるばかりでなく、取り出し時のノイズが大きくなる虞があるからである。
【００３３】
ここで、前記切断線の設定パターンの他の態様を、図７の箱上面の裏面図を例示しつつ説明する。尚、前記図３〜図６と同様に、図７（ａ）にはフィルム１１の貼着域１１ａを主に示す一方、図７（ｂ）には前記可撓性領域１ｄを主に示す。また、前述した図の実施形態と同一の構成部分には同一符号を付して重複する説明は省略する。
図７は、前記図４の切断線５の設定パターンに対して、更に、取出口３の長手方向の中心線の延長線上に、一対の切断線５を加えたものである。
【００３９】
以上、本発明に係る実施形態について説明したが、本発明は、かかる実施形態に限定されるものではなく、その要旨を逸脱しない範囲で以下に示すような変形が可能である。
本実施形態においては、取出口３の形状として略長方形を例示したが、これに限るものではなく、菱形および六角形であっても良い。
【００４０】
本実施形態においては、取出口３の形状を略長方形とする一方、その四隅を四分円形に面取りしたが、これに限るものではなく、取出口３の短辺を半円形状等の円弧状にしても良い。
【００４１】
本実施形態においては、フィルム１１の形状として長方形を例示したが、可撓性領域全体を完全に覆っていれば、これに限るものではなく、菱形、および六角形であっても良い。
【００４２】
【発明の効果】
以上説明したように、本発明によれば、箱高さに比べて箱内に収納される衛生薄葉紙束の嵩が高過ぎる場合であっても、前記薄葉紙を引き破ることなく円滑な取り出しが可能な衛生薄葉紙収納箱を提供することができる。
【図面の簡単な説明】
【図１】  本発明に係る一実施形態の衛生薄葉紙収納箱を示す斜視図である。
【図２】  本発明に係る一実施形態の衛生薄葉紙収納箱の縦断面図である。
【図３】  本発明に係る一実施形態の衛生薄葉紙収納箱の箱上面の裏面図である。
【図４】  本実施形態の変形例に係る衛生薄葉紙収納箱の箱上面の裏面図である。
【図５】  本実施形態の変形例に係る衛生薄葉紙収納箱の箱上面の裏面図である。
【図６】  本実施形態の変形例に係る衛生薄葉紙収納箱の箱上面の裏面図である。
【図７】  本実施形態に係る切断線の設定パターンの一例を示す箱上面の裏面図である。
【図８】 従来の衛生薄葉紙収納箱の斜視図である。
【図９】  従来の衛生薄葉紙収納箱の縦断面図である。
【図１】
0004063545.tif 000002
【図２】
0004063545.tif 000003
【図３】
0004063545.tif 000004
【図４】
0004063545.tif 000005
【図５】
0004063545.tif 000006
【図６】
0004063545.tif 000007
【図７】
0004063545.tif 000008
【図８】
0004063545.tif 000009
【図９】
0004063545.tif 000010